【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
物理デバイス上を稼働する仮想デバイスにリソースを割り当てることができ、前記物理デバイスからリソースの提供を受けるリソースプールを管理し、前記物理デバイスと通信可能に接続される管理計算機において、
前記リソースプールにリソースを提供する物理デバイスの識別情報および管理対象となる前記リソースプールの識別情報を含む構成情報と、
前記物理デバイスの空きリソース量および前記リソースプールの空きリソース量を含む性能情報と、を記憶する記憶装置と、
管理するいずれか１つまたは複数のリソースプールに関する表示要求を入力装置から取得する制御と、
前記構成情報を参照して、前記表示要求のあったリソースプールおよび当該リソースプールにリソースを提供する物理デバイスを特定する制御と、
前記性能情報を参照して、前記特定したリソースプールの空きリソース量および前記特定した物理デバイスの空きリソース量を特定する制御と、
前記特定したリソースプールの空きリソース量および前記特定した物理デバイスの空きリソース量を表示装置に表示する制御と、を実行する制御装置と、を有する
ことを特徴とする管理計算機。
【請求項２】
前記構成情報には、前記リソースプールからリソースを割り当てられている仮想デバイスの識別情報が含まれており、
前記性能情報には、前記物理デバイスの使用リソース量、前記仮想デバイスに割り当てられた割当リソース量、および前記仮想デバイス上の負荷を処理するのに不足しているリソース量である不足リソース量が含まれており、
前記制御装置は、
前記表示要求のあったリソースプールからリソースを割り当てる仮想デバイスを追加する場合は、前記構成情報および前記性能情報を参照して、前記追加する仮想デバイスが稼働する物理デバイスの空きリソース量と使用リソース量との合計、および前記リソースプールからリソースを割り当てられている仮想デバイス上の負荷を処理するのに必要となるリソース量である、当該割当リソース量と当該不足リソース量との合計、に基づいて、前記追加する仮想デバイスに割り当てることができるリソース量を算出する制御と、
前記算出したリソース量の最大を前記表示装置に表示する制御と、を実行する
ことを特徴とする請求項１に記載の管理計算機。
【請求項３】
前記構成情報には、前記リソースプールからリソースを割り当てられている仮想デバイスの識別情報が含まれており、
前記性能情報には、前記物理デバイスの使用リソース量、前記仮想デバイスに割り当てられた割当リソース量、および前記仮想デバイス上の負荷を処理するのに不足しているリソース量である不足リソース量が含まれており、
前記制御装置は、
前記表示要求のあったリソースプールからリソースを割り当てられている仮想デバイスを拡張する場合は、前記構成情報および前記性能情報を参照して、前記拡張する仮想デバイスが稼働する物理デバイスの空きリソース量と使用リソース量との合計、および前記リソースプールからリソースを割り当てられている仮想デバイス上の負荷を処理するのに必要となるリソース量である、当該割当リソース量と当該不足リソース量との合計、に基づいて、前記拡張する仮想デバイスに割り当てることができるリソースの拡張量を算出する制御と、
前記算出したリソースの拡張量の最大を前記表示装置に表示する制御と、を実行する
ことを特徴とする請求項１または請求項２に記載の管理計算機。
【請求項４】
前記制御装置は、
前記性能情報を参照して、前記リソースプールの空きリソース量以上の空きリソース量を有する物理デバイスが存在すれば、当該物理デバイス以外の物理デバイス上を稼働する仮想デバイスを移動させる要求を前記入力装置から取得する制御と、
前記仮想デバイスを当該物理デバイス上に移動して稼働させる制御と、を実行する
ことを特徴とする請求項１から請求項３のいずれかに記載の管理計算機。
【請求項５】
前記物理デバイスは、物理サーバであり、
前記仮想デバイスは、仮想サーバである、
ことを特徴とする請求項１から請求項４のいずれかに記載の管理計算機。
【請求項６】
物理デバイス上を稼働する仮想デバイスにリソースを割り当てることができ、前記物理デバイスからリソースの提供を受けるリソースプールを管理し、前記物理デバイスと通信可能に接続される管理計算機によるリソース管理方法において、
前記管理計算機の記憶装置は、
前記リソースプールにリソースを提供する物理デバイスの識別情報および管理対象となる前記リソースプールの識別情報を含む構成情報と、
前記物理デバイスの空きリソース量および前記リソースプールの空きリソース量を含む性能情報と、を記憶しており、
前記管理計算機の制御装置は、
管理するいずれか１つまたは複数のリソースプールに関する表示要求を入力装置から取得するステップと、
前記構成情報を参照して、前記表示要求のあったリソースプールおよび当該リソースプールにリソースを提供する物理デバイスを特定するステップと、
前記性能情報を参照して、前記特定したリソースプールの空きリソース量および前記特定した物理デバイスの空きリソース量を特定するステップと、
前記特定したリソースプールの空きリソース量および前記特定した物理デバイスの空きリソース量を表示装置に表示するステップと、を実行する
ことを特徴とするリソース管理方法。
【請求項７】
前記構成情報には、前記リソースプールからリソースを割り当てられている仮想デバイスの識別情報が含まれており、
前記性能情報には、前記物理デバイスの使用リソース量、前記仮想デバイスに割り当てられた割当リソース量、および前記仮想デバイス上の負荷を処理するのに不足しているリソース量である不足リソース量が含まれており、
前記制御装置は、
前記表示要求のあったリソースプールからリソースを割り当てる仮想デバイスを追加する場合は、前記構成情報および前記性能情報を参照して、前記追加する仮想デバイスが稼働する物理デバイスの空きリソース量と使用リソース量との合計、および前記リソースプールからリソースを割り当てられている仮想デバイス上の負荷を処理するのに必要となるリソース量である、当該割当リソース量と当該不足リソース量との合計、に基づいて、前記追加する仮想デバイスに割り当てることができるリソース量を算出するステップと、
前記算出したリソース量の最大を前記表示装置に表示するステップと、を実行する
ことを特徴とする請求項６に記載のリソース管理方法。
【請求項８】
前記構成情報には、前記リソースプールからリソースを割り当てられている仮想デバイスの識別情報が含まれており、
前記性能情報には、前記物理デバイスの使用リソース量、前記仮想デバイスに割り当てられた割当リソース量、および前記仮想デバイス上の負荷を処理するのに不足しているリソース量である不足リソース量が含まれており、
前記制御装置は、
前記表示要求のあったリソースプールからリソースを割り当てられている仮想デバイスを拡張する場合は、前記構成情報および前記性能情報を参照して、前記拡張する仮想デバイスが稼働する物理デバイスの空きリソース量と使用リソース量との合計、および前記リソースプールからリソースを割り当てられている仮想デバイス上の負荷を処理するのに必要となるリソース量である、当該割当リソース量と当該不足リソース量との合計、に基づいて、前記拡張する仮想デバイスに割り当てることができるリソースの拡張量を算出するステップと、
前記算出したリソースの拡張量の最大を前記表示装置に表示するステップと、を実行する
ことを特徴とする請求項６または請求項７に記載のリソース管理方法。
【請求項９】
前記制御装置は、
前記性能情報を参照して、前記リソースプールの空きリソース量以上の空きリソース量を有する物理デバイスが存在すれば、当該物理デバイス以外の物理デバイス上を稼働する仮想デバイスを移動させる要求を前記入力装置から取得するステップと、
前記仮想デバイスを当該物理デバイス上に移動して稼働させるステップと、を実行する
ことを特徴とする請求項６から請求項８のいずれかに記載のリソース管理方法。
【請求項１０】
前記物理デバイスは、物理サーバであり、
前記仮想デバイスは、仮想サーバである、
ことを特徴とする請求項６から請求項９のいずれかに記載のリソース管理方法。
【請求項１１】
物理デバイス上を稼働する仮想デバイスにリソースを割り当てることができ、前記物理デバイスからリソースの提供を受けるリソースプールを管理し、前記物理デバイスと通信可能に接続される管理計算機によるリソース管理方法を実行させるリソース管理プログラムにおいて、
前記管理計算機の記憶装置は、
前記リソースプールにリソースを提供する物理デバイスの識別情報および管理対象となる前記リソースプールの識別情報を含む構成情報と、
前記物理デバイスの空きリソース量および前記リソースプールの空きリソース量を含む性能情報と、を記憶しており、
前記管理計算機の制御装置に、
管理するいずれか１つまたは複数のリソースプールに関する表示要求を入力装置から取得する処理と、
前記構成情報を参照して、前記表示要求のあったリソースプールおよび当該リソースプールにリソースを提供する物理デバイスを特定する処理と、
前記性能情報を参照して、前記特定したリソースプールの空きリソース量および前記特定した物理デバイスの空きリソース量を特定する処理と、
前記特定したリソースプールの空きリソース量および前記特定した物理デバイスの空きリソース量を表示装置に表示する処理と、を実行させる
ことを特徴とするリソース管理プログラム。
【請求項１２】
前記構成情報には、前記リソースプールからリソースを割り当てられている仮想デバイスの識別情報が含まれており、
前記性能情報には、前記物理デバイスの使用リソース量、前記仮想デバイスに割り当てられた割当リソース量、および前記仮想デバイス上の負荷を処理するのに不足しているリソース量である不足リソース量が含まれており、
前記制御装置に、
前記表示要求のあったリソースプールからリソースを割り当てる仮想デバイスを追加する場合は、前記構成情報および前記性能情報を参照して、前記追加する仮想デバイスが稼働する物理デバイスの空きリソース量と使用リソース量との合計、および前記リソースプールからリソースを割り当てられている仮想デバイス上の負荷を処理するのに必要となるリソース量である、当該割当リソース量と当該不足リソース量との合計、に基づいて、前記追加する仮想デバイスに割り当てることができるリソース量を算出する処理と、
前記算出したリソース量の最大を前記表示装置に表示する処理と、を実行させる
ことを特徴とする請求項１１に記載のリソース管理プログラム。
【請求項１３】
前記構成情報には、前記リソースプールからリソースを割り当てられている仮想デバイスの識別情報が含まれており、
前記性能情報には、前記物理デバイスの使用リソース量、前記仮想デバイスに割り当てられた割当リソース量、および前記仮想デバイス上の負荷を処理するのに不足しているリソース量である不足リソース量が含まれており、
前記制御装置に、
前記表示要求のあったリソースプールからリソースを割り当てられている仮想デバイスを拡張する場合は、前記構成情報および前記性能情報を参照して、前記拡張する仮想デバイスが稼働する物理デバイスの空きリソース量と使用リソース量との合計、および前記リソースプールからリソースを割り当てられている仮想デバイス上の負荷を処理するのに必要となるリソース量である、当該割当リソース量と当該不足リソース量との合計、に基づいて、前記拡張する仮想デバイスに割り当てることができるリソースの拡張量を算出する処理と、
前記算出したリソースの拡張量の最大を前記表示装置に表示する処理と、を実行させる
ことを特徴とする請求項１１または請求項１２に記載のリソース管理プログラム。
【請求項１４】
前記制御装置に、
前記性能情報を参照して、前記リソースプールの空きリソース量以上の空きリソース量を有する物理デバイスが存在すれば、当該物理デバイス以外の物理デバイス上を稼働する仮想デバイスを移動させる要求を前記入力装置から取得する処理と、
前記仮想デバイスを当該物理デバイス上に移動して稼働させる処理と、を実行させる
ことを特徴とする請求項１１から請求項１３のいずれかに記載のリソース管理プログラム。
【請求項１５】
前記物理デバイスは、物理サーバであり、
前記仮想デバイスは、仮想サーバである、
ことを特徴とする請求項１１から請求項１４のいずれかに記載のリソース管理プログラム。
【請求項１６】
請求項１１から請求項１５のいずれかに記載のリソース管理プログラムを記録した記録媒体。
【請求項１７】
物理デバイス上を稼働する仮想デバイスにリソースを割り当てることができ、前記物理デバイスからリソースの提供を受けるリソースプールを管理する管理計算機と、前記物理デバイスとが通信可能に接続される情報処理システムにおいて、
前記管理計算機は、
前記リソースプールにリソースを提供する物理デバイスの識別情報および管理対象となる前記リソースプールの識別情報を含む構成情報と、
前記物理デバイスの空きリソース量および前記リソースプールの空きリソース量を含む性能情報と、を記憶する記憶装置と、
管理するいずれか１つまたは複数のリソースプールに関する表示要求を前記管理計算機の入力装置から取得する制御と、
前記構成情報を参照して、前記表示要求のあったリソースプールおよび当該リソースプールにリソースを提供する物理デバイスを特定する制御と、
前記性能情報を参照して、前記特定したリソースプールの空きリソース量および前記特定した物理デバイスの空きリソース量を特定する制御と、
前記特定したリソースプールの空きリソース量および前記特定した物理デバイスの空きリソース量を前記管理計算機の表示装置に表示する制御と、を実行する制御装置と、を有する
ことを特徴とする情報処理システム。